(57)【要約】【課題】転写紙指定サイズと実際の転写紙サイズとが異なっている場合に、ある程度のサイズの相違を許容してユーザーの所望する描画を実現すると共に、画像形成装置のダメージの発生要因やエラー発生要因となる描画を制限することができる画像形成装置を提供する。【解決手段】ＲＯＭ１８には異なった転写紙のサイズで区分した複数グループに対応するドライバ情報が格納され、ＣＰＵ１５は、操作部１９で指定した転写紙のサイズが転写紙センサ２１により自動サイズ検出可能であり、この転写紙センサ２１で検出した転写紙のサイズと同一グループに属している場合には、操作部１９で指定した転写紙サイズに対応したドライバ情報を利用して描画処理を実行する。【選択図】      図１
2008180768.tif 000002
【特許請求の範囲】
【請求項１】
描画処理を実行する転写紙のサイズを指定する指定手段と、描画処理用の転写紙のサイズを検出するための転写紙サイズ検知手段と、前記指定手段で指定された転写紙のサイズに対応した描画処理用のドライバ情報を格納した格納手段と、該格納手段に格納されたドライバ情報に基づく描画処理を制御する制御手段と、を備え、
前記格納手段には、異なった転写紙のサイズで区分した複数グループに対応するドライバ情報が格納されており、
前記制御手段は、前記指定手段で指定した転写紙のサイズが前記転写紙サイズ検知手段を利用して自動サイズ検出可能であり、前記転写紙サイズ検知手段を利用して検出した転写紙のサイズと同一グループに属している場合には、前記指定手段で指定した転写紙サイズに対応したドライバ情報を利用して描画処理を実行することを特徴とする画像形成装置。
【請求項２】
前記制御手段は、前記指定手段で指定した転写紙のサイズが前記転写紙サイズ検知手段を利用して自動サイズ検出可能であり、前記転写紙サイズ検知手段を利用して検出した転写紙のサイズと異なるグループに属している場合には、前記転写紙サイズ検知手段を利用して検出した転写紙サイズに対応したドライバ情報に変更して描画処理を実行することを特徴とする請求項１に記載の画像形成装置。
【請求項３】
前記指定手段で指定した転写紙のサイズが前記転写紙サイズ検知手段を利用して自動サイズ検出不可能である場合には、前記指定手段で指定した転写紙サイズに対応したドライバ情報を利用して描画処理を実行することを特徴とする請求項１又は請求項２に記載の画像形成装置。
【請求項４】
前記転写紙サイズ検知手段が作用しない手動サイズ設定の場合には、前記指定手段で指定した転写紙サイズに対応したドライバ情報を利用して描画処理を実行することを特徴とする請求項１乃至請求項３の何れかに記載の画像形成装置。
【請求項５】
前記転写紙サイズ検知手段が手差トレイに配置されていることを特徴とする請求項１乃至請求項４の何れかに記載の画像形成装置。
【発明の詳細な説明】
【技術分野】
【０００１】
本発明は、描画処理を実行する転写紙のサイズを指定する指定手段と、描画処理用の転写紙のサイズを検出するための転写紙サイズ検知手段と、前記指定手段で指定された転写紙のサイズに対応した描画処理用のドライバ情報を格納した格納手段と、該格納手段に格納されたドライバ情報に基づく描画処理を制御する制御手段とを備えた画像形成装置に関する。
【背景技術】
【０００２】
従来から、複写機能等において、原稿サイズと転写紙サイズとをそれぞれ検出して原稿サイズに一致するサイズの転写紙を選択して描画を実行する自動検出機能を備えた画像形成装置が周知である
また、検出した原稿サイズに対して、拡大・縮小を行うことなく異なったサイズの転写紙を指定した場合であっても、その指定したサイズの転写紙（例えば、手差トレイにセットした転写紙）に描画を実行する強制描画機能を備えた画像形成装置も知られている（例えば、特許文献１参照。）。
【特許文献１】特開平０６−１４８９９０号公報
【発明の開示】
【発明が解決しようとする課題】
【０００３】
ところが、上記の如く構成された画像形成装置にあっては、例えば、原稿サイズよりも小さいサイズの転写紙に描画を実行した場合、その転写紙よりもはみ出した部分に原稿画像が存在していた場合、トナーが感光体に付着したまま転写紙に転写されず、トナーの無駄や感光体並びに周辺機器へのダメージの要因となってしまうという問題が生じていた。
【０００４】
また、指定した転写紙のサイズと実際に手差トレイ等にセットされた転写紙のサイズとが異なっている場合、後処理装置（フィニッシャー）の転写紙の幅合わせ異常でジャムが発生したり、指定サイズよりも大きいサイズの転写紙がセットされ、その転写紙に描画を実行した場合、画像形成処理のためのドライバは指定されたサイズ用のものを使用しているため、給紙センサが指定サイズ以上の長さを検出したことによってジャムエラーが発生したりする等の問題も生じていた。
【０００５】
そこで、本発明は、上記事情を考慮し、転写紙指定サイズと実際の転写紙サイズとが異なっている場合に、ある程度のサイズの相違を許容してユーザーの所望する描画を実現すると共に、画像形成装置のダメージの発生要因やエラー発生要因となる描画を制限することができる画像形成装置を提供することを目的とする。
【課題を解決するための手段】
【０００６】
本発明の画像形成装置は、描画処理を実行する転写紙のサイズを指定する指定手段と、描画処理用の転写紙のサイズを検出するための転写紙サイズ検知手段と、前記指定手段で指定された転写紙のサイズに対応した描画処理用のドライバ情報を格納した格納手段と、該格納手段に格納されたドライバ情報に基づく描画処理を制御する制御手段と、を備え、前記格納手段には、異なった転写紙のサイズで区分した複数グループに対応するドライバ情報が格納されており、前記制御手段は、前記指定手段で指定した転写紙のサイズが前記転写紙サイズ検知手段を利用して自動サイズ検出可能であり、前記転写紙サイズ検知手段を利用して検出した転写紙のサイズと同一グループに属している場合には、前記指定手段で指定した転写紙サイズに対応したドライバ情報を利用して描画処理を実行することを特徴とする。
【０００７】
この際、前記制御手段は、前記指定手段で指定した転写紙のサイズが前記転写紙サイズ検知手段を利用して自動サイズ検出可能であり、前記転写紙サイズ検知手段を利用して検出した転写紙のサイズと異なるグループに属している場合には、前記転写紙サイズ検知手段を利用して検出した転写紙サイズに対応したドライバ情報に変更して描画処理を実行することが好ましい。
【０００８】
また、前記指定手段で指定した転写紙のサイズが前記転写紙サイズ検知手段を利用して自動サイズ検出不可能である場合には、前記指定手段で指定した転写紙サイズに対応したドライバ情報を利用して描画処理を実行することが好ましい。
【０００９】
さらに、前記転写紙サイズ検知手段が作用しない手動サイズ設定の場合には、前記指定手段で指定した転写紙サイズに対応したドライバ情報を利用して描画処理を実行することが好ましい。
【００１０】
さらに、前記転写紙サイズ検知手段は手差トレイに配置されているのが好ましい。
【発明の効果】
【００１１】
本発明の画像形成装置は、転写紙指定サイズと実際の転写紙サイズとが異なっている場合に、ある程度のサイズの相違を許容してユーザーの所望する描画を実現すると共に、画像形成装置のダメージの発生要因やエラー発生要因となる描画を制限することができる。
【発明を実施するための最良の形態】
【００１２】
次に、本発明の一実施形態に係る画像形成装置を複合機に適用し、図面を参照して説明する。
【００１３】
図１は本発明の一実施形態に係る画像形成装置のシステム構成のブロック図、図２は本発明の一実施形態に係る画像形成装置における自動サイズ検出可能な転写紙区分の図表、図３は本発明の一実施形態に係る画像形成装置における動作区分の図表、図４は本発明の一実施形態に係る画像形成装置の要部の動作フロー図である。
【００１４】
図１に示すように、本発明の一実施形態に係る画像形成装置としての複合機１０は、ネットワーク回線１１を介して複数の端末（パーソナルコンピュータ等）１２並びにサーバー１３と接続されている。尚、サーバー１３は、複合機１０に対するプリンタサーバやネットワーク回線１１の全般に対するネットワークサーバー（インターネットサーバー等を含む）として兼用していても良い。
【００１５】
複合機１０は、ネットワーク回線１１を通じて端末１２等から出力された印刷指令等がインターフェース１４を介してＣＰＵ１５に入力され、その印刷指定に基づいて画像形成部１６によって描画処理を実行する。また、複合機１０は、原稿載置ガラスや自動原稿送り装置（共に図示せず）にセットされた原稿（図示せず）の画像を読取部１７で読み取る（又はＦＡＸ受信する）ことにより画像形成部１６によって描画処理を実行する。
【００１６】
この際、ＣＰＵ１５は、これら各種機能（プリンタ機能・複写機能・ファクシミリ機能等）に関するドライバ情報をＲＯＭ１８から呼び出して画像形成部１６等を制御する。また、ＣＵＰ１５は、テンキー等のボタンスイッチやタッチパネル方式の液晶表示パネル（共に図示せず）等の操作部１９からの操作に応じた描画処理に関するドライバ情報をＲＯＭ１８から呼び出して制御する。さらに、ＣＰＵ１５は、原稿載置ガラスや自動原稿送り装置にセットされた原稿のサイズを検出するための原稿センサ２０、給紙カセットや手差トレイ（共に図示せず）にセットされた転写紙（図示せず）のサイズを検出するための転写紙センサ２１、複合機１０の給紙・搬送経路（図示せず）中に配置されたジャムセンサ２２、等からの出力信号に基づいて描画処理等に関する各種駆動系（例えば、給紙ローラや搬送ローラ等）を制御する。
【００１７】
これにより、ＣＰＵ１５は、予め転写紙センサ２１から出力された出力信号に基づいて、給紙カセットや手差トレイにセットされている転写紙のサイズを検出することができる。従って、例えば、操作部１９で自動複写モードが選択されていた場合、原稿センサ２０を利用して検出された原稿サイズに一致したサイズの転写紙がセットされている給紙カセットや手差トレイを選択し、画像形成部１６によってその転写紙に描画処理を実行する。この際、ＣＰＵ１５は、使用する転写紙のサイズに応じたドライバ情報をＲＯＭ１８から呼び出して各種駆動系を制御することにより、例えば、ジャムセンサ２２の検知タイミング等を制御する。
【００１８】
また、給紙カセットや手差トレイにセットされている転写紙のサイズは、図２に示すように、ある程度類似するユーザー指定の転写紙サイズを対象としてグループ分けされており、転写紙自体のサイズ誤差や転写紙センサ２１の感度誤差を含めて同一ドライバ情報を使用するための許容範囲を設定している。
【００１９】
これにより、例えば、原稿センサ２０を利用して検出した原稿サイズとは異なる転写紙のサイズを操作部１９で指定すると共に、手差トレイにセットされた転写紙サイズが操作部１９で指定した指定サイズと異なる場合においても、その指定サイズと転写紙サイズとの差が許容範囲に含まれていた場合には同一ドライバ情報を使用することによりユーザーが所望する描画処理を実行することができるように設定されている。
【００２０】
この際、手差トレイにセットされた転写紙サイズが操作部１９で指定したサイズと大幅に異なる場合には、トナーの無駄や感光体等へのダメージの発生、或いは、ジャムセンサ２２の誤検知等の発生要因となることから、上述した許容範囲を超えた際の描画処理はユーザーが所望する描画処理ではなく、手差トレイにセットされた転写紙サイズのドライバ情報を使用するように設定されている。また、操作部１９では、転写紙センサ２１による転写紙サイズ検出を利用するか否かの指定をすることができ、転写紙サイズの検出を利用しない場合には手動サイズ設定モードとなり、転写紙サイズの検出を利用する場合には自動サイズ検出モードとなる。
【００２１】
そこで、図３に示すように、手動サイズ設定モードを指定している状態では、操作部１９で指定した転写紙の指定サイズに対応したドライバ情報を使用して描画処理を実行する。
【００２２】
また、自動サイズ検出モードを指定している状態で、操作部１９で指定した転写紙の指定サイズが転写紙センサ２１により自動サイズ検出不可能なサイズ（図２に記載以外の用紙サイズで例えば、Statement、Executive、Envelope、Oficio II、洋形）の場合には、そのままユーザーの指定サイズに対応したドライバ情報を使用して描画処理を実行する。
【００２３】
さらに、自動サイズ検出モードを指定している状態で、操作部１９で指定した転写紙の指定サイズが転写紙センサ２１により自動サイズ検出可能なサイズ（図２に記載の用紙サイズ）の場合には、指定サイズが転写紙センサ２１で検出した転写紙サイズが許容範囲内の同一サイズ（図２に示した各グループサイズ）に含まれている場合には、そのまま指定サイズに対応したドライバ情報を使用して描画処理を実行する。
【００２４】
また、自動サイズ検出モードを指定している状態で、操作部１９で指定した転写紙の指定サイズが自動サイズ検出可能なサイズの場合には、指定サイズが転写紙センサ２１で検出した転写紙サイズが許容範囲内の同一サイズに含まれていない場合には、指定サイズを無視して選択した転写紙サイズのドライバ情報を使用して描画処理を実行する。
【００２５】
具体的には、図４に示すように、操作部１９で、例えば手差トレイにセットされた転写紙の手動サイズ設定モードが選択されたか自動サイズ検出モードが選択されたかをＣＰＵ１５がモード判定（ステップＳ１）し、手動サイズ設定モードが選択された場合には、指定サイズと手差トレイにセットされた転写紙サイズとの相違に係わらず、指定サイズに対応したドライバ情報に基づいて手差トレイにセットされた転写紙に描画処理を実行する（ステップＳ２）。
【００２６】
また、自動サイズ検出モードが選択された場合には、ユーザー指定の転写紙指定サイズが転写紙センサ２１を利用して検出可能か否かを判断し（ステップＳ３）、自動サイズ検出不可能なサイズである場合には、指定サイズと手差トレイにセットされた転写紙サイズとの相違に係わらず、指定サイズに対応したドライバ情報に基づいて手差トレイにセットされた転写紙に描画処理を実行する（ステップＳ２）。
【００２７】
また、ユーザー指定の転写紙指定サイズが転写紙センサ２１を利用して検出可能か否かを判断し（ステップＳ３）、自動サイズ検出可能なサイズである場合に、転写紙センサ２１を利用して検出された手差トレイにセットされた転写紙サイズが指定サイズと同一のグループに属する場合においても（ステップＳ４）、指定サイズと手差トレイにセットされた転写紙サイズとの相違に係わらず、指定サイズに対応したドライバ情報に基づいて手差トレイにセットされた転写紙に描画処理を実行する（ステップＳ２）。
【００２８】
さらに、ユーザー指定の転写紙指定サイズが転写紙センサ２１を利用して検出可能か否かを判断し（ステップＳ３）、自動サイズ検出可能なサイズである場合に、転写紙センサ２１を利用して検出された手差トレイにセットされた転写紙サイズが指定サイズと同一のグループに属さない場合には、指定サイズではなく、転写紙センサ２１を利用して検出された手差トレイにセットされた転写紙のサイズに対応したドライバ情報に基づいて描画処理を実行する（ステップＳ５）。
【００２９】
ところで、このようなドライバ情報の指定・変更は、例えば、先に手差トレイにセットした転写紙を使用しての描画処理時における予約処理に対しても適用することができ、その先の描画処理中に予約原稿のセット・転写紙サイズの指定・原稿読み取りを行った後に、先の描画処理が終了した時点で手差トレイに先にセットされた転写紙サイズが指定サイズと異なっている場合においても適用することができる。このため、原稿読み取りを先行して開始することができ、ユーザーの利便性が向上する。
【００３０】
また、ユーザー指定の転写紙指定サイズが転写紙センサ２１を利用して検出可能か否かを判定し（ステップＳ３）、自動サイズ検出可能なサイズである場合に、転写紙センサ２１を利用して検出された手差トレイにセットされた転写紙サイズが指定サイズと同一のグループに属さない場合に、ステップＳ５で転写紙センサ２１を利用して検出された手差トレイにセットされた転写紙のサイズに対応したドライバ情報に基づいて描画処理を実行する制御を行なったが、手差トレイにセットされた転写紙を使用せず、他の給紙トレイにセットされた転写紙のうち、指定サイズに一致若しくは同一グループに属する転写紙を選択するように制御しても良いし、端末１２や複合機１０の表示画面に、一旦エラー表示させた後、そのジョブをキャンセルさせたり、あるいは、ユーザーに転写紙サイズ変更を促すようなメッセージを表示させたりしても良い。
【００３１】
尚、これら上述したＣＰＵ１５による制御は、ソフトウエア上で行うことができるので、既存のハードウエアを利用したまま適用することが可能となる。
【００３２】
ところで、上記実施の形態では、本発明の画像形成装置を複合機１０に適用して説明したが、例えば、複写専用機のように画像形成装置全般に適用することができることは勿論である。
【図面の簡単な説明】
【００３３】
【図１】本発明の一実施形態に係る画像形成装置のシステム構成のブロック図である。
【図２】本発明の一実施形態に係る画像形成装置における転写紙区分の図表である。
【図３】本発明の一実施形態に係る画像形成装置における動作区分の図表である。
【図４】本発明の一実施形態に係る画像形成装置の要部の動作フロー図である。
【符号の説明】
【００３４】
１０…複合機（画像形成装置）
１５…ＣＰＵ（制御手段）
１６…画像形成部
１８…ＲＯＭ（格納手段）
１９…操作部（指定手段）
２１…転写紙センサ（転写紙サイズ検知手段）
【図１】
2008180768.tif 000003
【図２】
2008180768.tif 000004
【図３】
2008180768.tif 000005
【図４】
2008180768.tif 000006